(57)【要約】【課題】  インキキーのプリセット装置及びインキキーのプリセット方法に関し、複数の絵柄面積率計測装置を混在させて使用してもインキキー開度を精度良くプリセットできるようにする。【解決手段】  複数のインキキー５２ａ〜５２ｅに対応した領域毎に刷版の絵柄面積率を計測する、複数の絵柄面積率計測装置４ａ，４ｂ，４ｃと、各絵柄面積率計測装置４ａ，４ｂ，４ｃのそれぞれに対応したインキキー開度特性線Ｌを設定するインキキー開度特性線設定手段３と、複数の絵柄面積率計測装置４ａ，４ｂ，４ｃの何れか一つ（例えば絵柄面積率計測装置４ａ）を使用して計測された刷版の絵柄面積率と、この計測に使用された絵柄面積率計測装置４ａに対応するインキキー開度特性線Ｌとにしたがって、複数のインキキー５２ａ〜５２ｅの開度を個別にプリセットするインキキープリセット手段２とをそなえて構成する。【選択図】        図１
2006056076.tif 000002
【特許請求の範囲】
【請求項１】
インキ元ローラに対向して配設された複数のインキキーの開度を個別にプリセットする、インキキーのプリセット装置において、
上記の複数のインキキーに対応した領域毎に刷版の絵柄面積率を計測する、複数の絵柄面積率計測装置と、
上記の複数の絵柄面積率計測装置のそれぞれに対応したインキキー開度特性線を設定するインキキー開度特性線設定手段と、
上記の複数の絵柄面積率計測装置の何れか一つを使用して計測された該刷版の絵柄面積率と、該計測に使用された絵柄面積率計測装置に対応するインキキー開度特性線とにしたがって、上記の複数のインキキーの開度を個別にプリセットするインキキープリセット手段とをそなえた
ことを特徴とする、インキキーのプリセット装置。
【請求項２】
該インキキー開度特性線は、絵柄面積率に対するインキキー開度を設定するものである
ことを特徴とする、請求項１記載のインキキーのプリセット装置。
【請求項３】
該絵柄面積率計測装置は、該刷版の製作時に使用される製版フィルムの表面を計測センサにより読み取ることで絵柄面積率を計測する装置、及び、該刷版の表面を計測センサにより読み取ることで絵柄面積率を計測する装置、及び、製版上流工程から取得した印刷画像のデジタルデータから絵柄面積率を計測する装置の何れかである
ことを特徴とする、請求項１又は２記載のインキキーのプリセット装置。
【請求項４】
該インキキー開度特性線設定手段が、
該計測された該領域毎の絵柄面積率情報と、所定の印刷品質が得られたときの各インキキーの開度情報とをそれぞれ取得する情報取得手段と、
該情報取得手段により取得された各インキキーの開度情報を記録するとともに該記録の更新を行なうインキキー開度記録手段と、
該インキキー開度記録手段により該記録が更新されると該更新記録に基づいて最適インキキー開度を設定し、該最適インキキー開度に基づいて、該計測に使用された絵柄面積率計測装置に対応するインキキー開度特性線を新たに作成する特性線作成手段とをそなえた
ことを特徴とする、請求項１〜３の何れか１項に記載のインキキーのプリセット装置。
【請求項５】
該インキキー開度記録手段には、装置出荷時に、予め標準的なインキキー開度が記録されている
ことを特徴とする、請求項４記載のインキキーのプリセット装置。
【請求項６】
該特性線作成手段が、該インキキー開度記録手段に記録されているインキキー開度と前回のプリセット時における最適インキキー開度との平均値を次回のプリセット時における最適インキキー開度として設定する
ことを特徴とする、請求項４又は５記載のインキキーのプリセット装置。
【請求項７】
インキ元ローラに対向して配設された複数のインキキーの開度を個別にプリセットする、インキキーのプリセット方法であって、
複数の絵柄面積率計測装置の何れか一つを使用して上記の複数のインキキーに対応した領域毎に刷版の絵柄面積率を計測する計測ステップと、
上記の複数の絵柄面積率計測装置のそれぞれに対応したインキキー開度特性線を設定する設定ステップと、
該計測した該刷版の絵柄面積率と、該計測に使用した絵柄面積率計測装置に対応するインキキー開度特性線とにしたがって、上記の複数のインキキーの開度を個別にプリセットするプリセットステップとをそなえた
ことを特徴とする、インキキーのプリセット方法。
【発明の詳細な説明】
【技術分野】
【０００１】
本発明は、インキ元ローラに対向して配設される複数のインキキーの開度を個別にプリセットする、インキキーのプリセット装置及びインキキーのプリセット方法に関するものである。
【背景技術】
【０００２】
図８は一般的なオフセット印刷機のインキキー装置の構成を示す模式的な斜視図である。
インキキー装置５では、インキ元ローラ５１を間欠的に所定回転量（インキ元ローラ回転量）だけ回転させることで、インキ元ローラ５１とインキキー５２との間のインキ壺５４に充填されたインキ５５を、インキ元ローラ回転量、及びインキ元ローラ５１とインキキー５２との間隙（インキキー開度）ｓに応じた量でインキ元ローラ５１の周面に供給する。このインキ５５は、図示しないが、インキローラ群，インキ着けローラ，版胴及びブランケット胴を介し所定の絵柄として印刷用紙に供給される。インキキー５２はインキ元ローラ５１の軸方向（以下、幅方向ともいう）に沿って複数並べられ、各インキキー５２にはインキキー開度ｓを調整するインキキーアクチュエータ５３がそれぞれ取り付けられており、これらのインキキーアクチュエータ５３を個別に制御することによりインキキー５２毎にインキキー開度ｓを調整できる。
【０００３】
印刷機において、インキキー開度ｓは、印刷品質を大きく左右する操作量であり、印刷条件（インキ種，紙種等）に応じてジョブ毎に適宜調整する必要がある。従来、インキキー開度ｓの調整は、印刷機を操作するオペレータの熟練に頼るところが大きかった。しかしながら、このように開度調整をオペレータの熟練に頼る場合、オペレータの熟練度の差に応じて印刷物の品質に差が生じてしまう虞がある。また、通常、良好な品質の印刷物（以下、ＯＫシートという）が得られるまでには試印刷を繰り返し行うが、熟練していないオペレータの場合にはＯＫシートが得られるまでに多くの試印刷を要し、多量の損紙を発生させてしまう虞がある。
【０００４】
そこで、刷版をインキキーの配置に対応して幅方向に区分し、この区分毎に絵柄面積率（これを画線率ともいう）を計測するとともに、この絵柄面積率に基づき上記区分に対応するインキキー５２の開度を個別に初期設定する（以下、これをプリセットといい、プリセットにより設定されたインキキー開度をプリセット値又はプリセット開度という）技術が種々開発されている。
【０００５】
これにより、オペレータの熟練に頼ることなくＯＫシートが自動で得られるようになる。或いは、プリセット開度のままではＯＫシートが得られない場合には、オペレータが手動操作によりインキキー開度の調整を行なうが、プリセット値を出発点として調整を開始できる（つまりプリセットにより大まかなインキキー開度の設定が行なわれることとなる）ので早期に調整を完了させＯＫシートが得られるようになる。
【０００６】
このような技術としては、例えば特許文献１に開示された技術がある。この技術では、インキキー開度を、絵柄面積率だけでなくインキ元ローラ回転量に基づきプリセットするようにしている。また、特許文献２には、絵柄面積率に加えインキ種や印刷用紙の紙種や環境温度等の印刷条件に基づきインキキー開度をプリセットするようにした技術が開示されている。
【０００７】
さらに、インキキー開度の特性は、印刷機毎に異なったり、同じ印刷機であっても運転を重ねる毎に変化したりすることがあるため、実運転に見合うようにインキキー開度特性（これを変換関数ともいう）を逐次更新する、いわゆる学習機能を有する技術も開発されている。例えば特許文献３には、絵柄面積率計測装置により刷版のインキキー毎の絵柄面積率を計測し、この絵柄面積率に対するインキキー開度をインキキー開度特性線に基づいて個別にプリセットするインキキーのプリセット方法において、ＯＫシートが得られたときのインキキー開度を絵柄面積率毎に更新し、この更新したインキキー開度に基づいてインキキー開度特性線を新たに設定する（これをインキキー開度特性の学習という）方法が開示されている。
【特許文献１】特公昭５８−１６６０５５号公報
【特許文献２】特公昭５９−９０５８号公報
【特許文献３】特開２００３−３３４９２９号公報
【発明の開示】
【発明が解決しようとする課題】
【０００８】
ところで、絵柄面積率を計測する絵柄面積率計測装置には、例えば、刷版製作時に使用される製版フィルムの表面を光学センサ等の計測センサにより読み取ることで絵柄面積率を計測する装置や、同じく光学センサ等の計測センサにより刷版の表面を読み取ることで絵柄面積率を計測する装置や、製版上流工程から取得した印刷画像のデジタルデータから絵柄面積率を計測（計算）する装置などがある。
【０００９】
しかしながら、各絵柄面積率計測装置はそれぞれ異なる計測特性を持っているため、絵柄面積率計測装置を複数混在させて使用した場合、計測された絵柄面積率が異なってしまう場合がある。例えば、印刷画像のデジタルデータから絵柄面積率を計測する装置は、絵柄面積率をデジタルデータから計算により算出するため、正確な絵柄面積率を得ることが可能である一方、計測センサにより絵柄面積率を計測する装置は、製版フィルムや刷版における画線部と非画線部との境界で計測誤差が生じやすいため、正確な絵柄面積率を得ることが比較的難しい。また、同じ絵柄面積率計測装置（特に、計測センサにより絵柄面積率を計測する装置）を使用した場合であっても、計測された絵柄面積率が全く同じになるとは限らない。
【００１０】
すなわち、上述した特許文献１〜３に記載の技術においても、複数の絵柄面積率計測装置を混在させて使用した場合には、正確な絵柄面積率に基づいてインキキー開度をプリセットすることはできないため、ＯＫシートが得られるまでに要する時間が長くなり、損紙が多量に発生してしまう。また、このように異なる絵柄面積率を元にしてインキキー開度特性の学習を行った場合、学習の精度が低下してしまうおそれがある。特に、近年、損紙を一枚でも多く低減したいという要望が強くなってきており、このような流れの中で、今まで着目されなかった各絵柄面積率計測装置自体が持つ計測特性という根本的な部分の差異まで見直す必要が出てきている。
【００１１】
本発明は、このような課題に鑑み創案されたもので、複数の絵柄面積率計測装置を混在させて使用してもインキキー開度を精度良くプリセットできるようにした、インキキーのプリセット装置及びインキキーのプリセット方法を提供することを目的とする。
【課題を解決するための手段】
【００１２】
このため、請求項１記載の本発明のインキキーのプリセット装置は、インキ元ローラに対向して配設された複数のインキキーの開度を個別にプリセットする、インキキーのプリセット装置において、上記の複数のインキキーに対応した領域毎に刷版の絵柄面積率を計測する、複数の絵柄面積率計測装置と、上記の複数の絵柄面積率計測装置のそれぞれに対応したインキキー開度特性線を設定するインキキー開度特性線設定手段と、上記の複数の絵柄面積率計測装置の何れか一つを使用して計測された該刷版の絵柄面積率と、該計測に使用された絵柄面積率計測装置に対応するインキキー開度特性線とにしたがって、上記の複数のインキキーの開度を個別にプリセットするインキキープリセット手段とをそなえたことを特徴としている。
【００１３】
請求項２記載の本発明のインキキーのプリセット装置は、請求項１記載の装置において、該インキキー開度特性線は、絵柄面積率に対するインキキー開度を設定するものであることを特徴としている。
請求項３記載の本発明のインキキーのプリセット装置は、請求項１又は２記載の装置において、該絵柄面積率計測装置は、該刷版の製作時に使用される製版フィルムの表面を計測センサにより読み取ることで絵柄面積率を計測する装置、及び、該刷版の表面を計測センサにより読み取ることで絵柄面積率を計測する装置、及び、製版上流工程から取得した印刷画像のデジタルデータから絵柄面積率を計測する装置の何れかであることを特徴としている。
【００１４】
請求項４記載の本発明のインキキーのプリセット装置は、請求項１〜３の何れか１項に記載の装置において、該インキキー開度特性線設定手段が、該計測された該領域毎の絵柄面積率情報と、所定の印刷品質が得られたときの各インキキーの開度情報とをそれぞれ取得する情報取得手段と、該情報取得手段により取得された各インキキーの開度情報を記録するとともに該記録の更新を行なうインキキー開度記録手段と、該インキキー開度記録手段により該記録が更新されると該更新記録に基づいて最適インキキー開度を設定し、該最適インキキー開度に基づいて、該計測に使用された絵柄面積率計測装置に対応するインキキー開度特性線を新たに作成する特性線作成手段とをそなえたことを特徴としている。
【００１５】
請求項５記載の本発明のインキキーのプリセット装置は、請求項４記載の装置において、該インキキー開度記録手段には、装置出荷時に、予め標準的なインキキー開度が記録されていることを特徴としている。
請求項６記載の本発明のインキキーのプリセット装置は、請求項４又は５記載の装置において、該特性線作成手段が、該インキキー開度記録手段に記録されているインキキー開度と前回のプリセット時における最適インキキー開度との平均値を次回のプリセット時における最適インキキー開度として設定することを特徴としている。
【００１６】
請求項７記載の本発明のインキキーのプリセット方法は、インキ元ローラに対向して配設された複数のインキキーの開度を個別にプリセットする、インキキーのプリセット方法であって、複数の絵柄面積率計測装置の何れか一つを使用して上記の複数のインキキーに対応した領域毎に刷版の絵柄面積率を計測する計測ステップと、上記の複数の絵柄面積率計測装置のそれぞれに対応したインキキー開度特性線を設定する設定ステップと、該計測した該刷版の絵柄面積率と、該計測に使用した絵柄面積率計測装置に対応するインキキー開度特性線とにしたがって、上記の複数のインキキーの開度を個別にプリセットするプリセットステップとをそなえたことを特徴としている。
【発明の効果】
【００１７】
本発明のインキキーのプリセット装置及びインキキーのプリセット方法によれば、複数の絵柄面積率計測装置を混在させて使用した場合でも、絵柄面積率計測装置の計測特性に応じた精度の高いプリセットが可能になる。これにより、ＯＫシートが得られるまでに要する時間を短縮することができ、損紙の発生を低減することができる。
【発明を実施するための最良の形態】
【００１８】
以下、図面を参照して本発明の実施の形態について説明する。
図１〜図６は本発明の一実施形態のインキキーのプリセット装置及びインキキーのプリセット方法について示す図であり、図１はプリセット装置の構成を示す模式的な機能ブロック図、図２はインキキー開度特性線設定部の構成を示す模式的な機能ブロック図、図３は刷版に対し設定される領域を説明するための模式図、図４は取得したデータ（インキキー開度）の変換について説明するための模式図、図５はプリセット方法を概念的に説明するため模式図、図６はインキキー開度のプリセットを説明するための模式的なフローチャート、図７はインキキー開度特性線の更新を説明するための模式的なフローチャートである。
【００１９】
なお、従来技術で既に説明した部品については同一の符号を付けその説明を省略する。
本発明の一実施形態としてのインキキーのプリセット装置１は、図１に示すように、インキキープリセット部（インキキープリセット手段）２と、インキキー開度特性線設定部（インキキー開度特性線設定手段）３と、絵柄面積率（画線率ともいう）計測装置（絵柄面積率計測手段）４ａ，４ｂ，４ｃ（以下、各絵柄面積率計測装置４ａ，４ｂ，４ｃを特に区別しない場合には符号４で示す）とをそなえて構成されており、絵柄面積率装置４ａ，４ｂ，４ｃの何れか１台により計測された刷版６（図３参照）の絵柄面積率に基づき、インキキー装置５のインキキーアクチュエータ５３の作動を制御して各インキキー５２ａ〜５２ｅ（以下、各インキキー５２ａ〜５２ｅを特に区別しない場合にはインキキー５２という）の開度ｓを個別にプリセットするものである。なお、ここでは、便宜的にインキキー５２の数量を５個としている。また、ここでは３台の絵柄面積率計測装置を示すが、１台や２台、或いは４台以上あってもよい。
【００２０】
絵柄面積率計測装置４ａ，４ｂ，４ｃは、図３に示すように、刷版６に対し幅方向に分割するように設定された刷版領域６１ａ〜６１ｅ（以下、各刷版領域６１ａ〜６１ｅを特に区別しない場合には符号６１で示す）毎に絵柄面積率Ｒａ，Ｒｂ，Ｒｃを計測するものである。これらの刷版領域６１ａ〜６１ｅは各インキキー５２ａ〜５２ｅにそれぞれ対応して設定されており、例えば、刷版領域６１ａは、インキキー５２ａからインキ５５を供給される領域を示し、刷版領域６１ｂは、インキキー５２ｂからインキ５５を供給される領域を示している。
【００２１】
絵柄面積率計測装置４ａ，４ｂ，４ｃとしては、前述したように、例えば、刷版６の製作時に使用される製版フィルムの表面を光学センサ等の計測センサにより読み取ることで絵柄面積率を計測する装置や、同じく光学センサ等の計測センサにより刷版６の表面を読み取ることで絵柄面積率を計測する装置や、製版上流工程から取得した印刷画像のデジタルデータ（コンピュータ上に用意されているディジタル画像データ）から絵柄面積率を計測（計算）する装置などがある。
【００２２】
なお、印刷時には、３台の絵柄面積率計測装置４ａ，４ｂ，４ｃのうちの何れか１つを使用して刷版６の絵柄面積率の計測を行うが、ここでは、ある印刷時（これを今回の印刷時という）において、絵柄面積率計測装置４ａを使用して刷版６の絵柄面積率Ｒａを計測する場合について説明する。
インキキープリセット部２は、図１に示すようにプリセット開度設定部（プリセット開度設定手段）２１とインキキー開度特性線記憶部（インキキー開度特性線記憶手段）２２とをそなえて構成されている。インキキー開度特性線記憶部２２は、絵柄面積率に対するインキキー５２の開度の特性線（インキキー開度特性線）Ｌを、インキ種や印刷用紙の紙種、さらに各絵柄面積率計測装置４ａ，４ｂ，４ｃ毎に記憶している。
【００２３】
プリセット開度設定部２１は、インキキー開度特性線記憶部２２に記憶された複数のインキキー開度特性線Ｌの中から、図示しない生産管理装置から入力される現状の（即ち、今回の印刷で使用される）インキ種や紙種、そして今回刷版６の絵柄面積率Ｒａの計測で使用した絵柄面積率計測装置４ａに対応するインキキー開度特性線Ｌを選択し、この選択したインキキー開度特性線Ｌにしたがって、絵柄面積率計測装置４ａから入力された各刷版領域６１の絵柄面積率に応じてインキキー５２の開度ｓを個別に設定するようになっている。
【００２４】
また、後述するように、本実施形態では、インキキー開度特性線Ｌからは、インキ元ローラ回転量θの影響を排除された（正規化された）インキキー開度の設定値Ｓpが得られるようになっており、プリセット開度設定部２１は、この正規化インキキー開度Ｓpを、下式（１）に示すようにインキ元ローラ回転量θの関数である補正係数Ｋ（θ）で除して、実プリセット値としてのインキキー開度ｓpを求め、このインキキー開度ｓpを各インキキー５２のインキキーアクチュエータ５３に制御指令として出力するようになっている。これにより、インキキーアクチュエータ５３の開度が上記インキキー開度（プリセット値）ｓpに制御されるようになっている。
【００２５】
ｓp＝Ｓp／Ｋ（θ）                                      ・・・（１）
インキキー開度特性線設定部３は、インキキープリセット部２のインキキー開度特性線記憶部２２に記憶されるインキキー開度特性線Ｌを新たに設定する（更新する）ものであり、図２に示すように、情報取得部（情報取得手段）３１と、インキキー開度正規化部（インキキー開度正規化手段）３２と、インキキー開度変換部（インキキー開度変換手段）３３と、インキキー開度記録部（インキキー開度記録手段）３４と、特性線作成部（特性線作成手段）３５とをそなえて機能構成されている。
【００２６】
情報取得部３１は、押しボタン３１Ａを有している。試印刷時、プリセット開度ではＯＫシートが得られなかったために（所定の印刷品質が得られなかったために）インキキー５２の開度がオペレータの手動操作により調整された場合には、上記手動操作によりＯＫシートが得られた後、オペレータがこの押しボタン３１Ａを押すと、このときの各インキキー５２の開度ｓ，インキ元ローラ５１の回転量θ，紙種，インキ種，今回刷版６の絵柄面積率Ｒａの計測で使用した絵柄面積率計測装置４ａの情報（即ち、絵柄面積率計測装置４ａであることを示す識別情報）が、対応する刷版領域６１の絵柄面積率Ｒａに関連づけられてプリセット装置１に取得されるようになっている。なお、紙種やインキ種、また、今回刷版６の絵柄面積率Ｒａの計測で使用した絵柄面積率計測装置４ａの情報は図示しない生産管理装置より取得される。
【００２７】
インキキー装置５から供給されるインキの量は、インキキー開度ｓだけでなくインキ元ローラ回転量θにも左右される。このため、インキ元ローラ回転量θが異なれば、絵柄面積率Ｒａが同じであってもＯＫシートが得られるインキキー開度は違ったものとなる。このようなインキ元ローラ回転量θの影響を排除する（ここでは正規化と称している）ため、上記インキキー開度正規化部３２が設けられている。具体的には、インキキー開度正規化部３２は、例えば下式（２）に示すように、情報取得部３１により取得されたインキキー開度ｓに、インキ元ローラ回転量θの関数である補正係数Ｋ（θ）を乗じて正規化インキキー開度Ｓを算出するようになっている。
【００２８】
Ｓ＝Ｋ（θ）×ｓ                                        ・・・（２）
そして、この正規化インキキー開度Ｓは、後述するようにインキキー開度記録部３４に記録されるが、インキキー開度記録部３４では、図５に示すように予め設定された所定の絵柄面積率（ここでは、０，４，８，１２，・・・，５０，７５，１００％）について正規化インキキー開度Ｓを記録するようになっている。
【００２９】
このため、例えば絵柄面積率が２４％（つまり、上記の所定の絵柄面積率から外れた絵柄面積率）でのデータ（正規化インキキー開度情報）Ｓ０が取得された場合には、インキキー開度変換部３３により、図４に示すように、このデータＳ０を、前後の所定の絵柄面積率（ここでは２０％及び３０％）におけるデータＳ１，Ｓ２へと変換するようになっている。
【００３０】
つまり、現状のインキキー開度特性線Ｌを、上記データＳ０を通るようにシフトさせて便宜上の正規化インキキー開度特性線Ｌ′を設定し、この正規化インキキー開度特性線Ｌ′から所定の絵柄面積率における正規化インキキー開度Ｓ１，Ｓ２を推定しているのである。
インキキー開度記録部３４は、概念的に、図５に示すようなキュー３４Ａを複数そなえて構成されている。ここでは、キュー３４Ａはインキキー５２ａ〜５２ｅに対しては共通に設定され、インキ種や紙種や絵柄面積率計測装置に対しては別々に設定されている。キュー３４Ａは、データ（正規化インキキー開度）をそれぞれ記録するボックス３４ａが行列（キュー）状に並べられて構成されたものである。
【００３１】
このキュー３４Ａは、情報取得手段３１により取得され正規化されたインキキー開度Ｓを記録する取得インキキー開度記録部３４Ａａと、現状の最適インキキー開度ＳＡ（これについては後述する）を記録する最適インキキー開度記録部３４Ａｂとからなる。
図５では、取得インキキー開度記録部３４Ａａに記録された正規化インキキー開度を『Ｓi,j』のように二つの添え字ｉ，ｊをつけて示している。一番目の添え字ｉはキュー３４Ａの横の位置（列）を示し絵柄面積率と対応し、添え字ｉが大きいほど（図５中で右にあるほど）この正規化インキキー開度Ｓi,jが高い絵柄面積率に関するデータであることを示している。二番目の添え字ｊはキュー３４Ａの縦の位置（行）を示し取得インキキー開度記録部３４Ａａに記録された順序に対応しており、添え字ｊが大きいほど（図５中で下にあるほど）この正規化インキキー開度Ｓi,jが古いデータであることを示している。
【００３２】
同様に、図５では、最適インキキー開度記録部３４Ａｂの最適インキキー開度を『ＳＡi』のように添え字ｉをつけて示しているが、この添え字ｉはキュー３４Ａの横の位置を示し絵柄面積率と対応し、添え字ｉが大きいほど最適インキキー開度ＳＡiが高い絵柄面積率に対するデータであることを示している。
ここでは取得インキキー開度記録部３４Ａａは１０行のボックス３４ａを有し各絵柄面積率に対し記録できるデータ数は１０個までとなっており、この取得インキキー開度記録部３４Ａａでは、新規のデータが記録される度に、最も古いデータ（つまり最下のボックス３４ａ）から消去されるようになっている。つまり、取得インキキー開度記録部３４Ａａでは、新たにデータが取得されるとこの新しいデータは最上の行に書き込まれ、それまで記録されていたデータは下の行に一つ下がるとともにそれまで取得インキキー開度記録部３４Ａａの最下の行にあったデータは消去されることとなる。
【００３３】
このような取得インキキー開度記録部３４Ａａにおけるデータの更新は、各絵柄面積率毎に行なわれるようになっている。つまり、図３に示す各刷版領域６１ａ〜６１ｅに対して４つの絵柄面積率１２，１６，２０，５０％のデータが得られたとすれば、キュー３４Ａでは、データの更新は絵柄面積率１２，１６，２０，５０％に対してのみ行なわれるようになっているのである。
【００３４】
特性線作成部３５は、キュー３４Ａの記録に基づき、各絵柄面積率毎に、例えば下式（３）に示すように次回の最適インキキー開度ＳＡi（ｎ＋１）を設定するようになっている。
【００３５】
【数１】
2006056076.tif 000003
【００３６】
つまり、取得インキキー開度記録部３４Ａａに記録されたＯＫシートが得られた時のインキキー開度Ｓi,j及び現状の最適インキキー開度ＳＡi（ｎ）の平均値を次回の最適インキキー開度ＳＡi（ｎ＋１）として設定するようになっているのである。そして、これらの最適インキキー開度ＳＡi（ｎ＋１）はキュー３４Ａの上述した最適インキキー開度記録部３４Ａｂに記録され、再び最適インキキー開度ＳＡiの更新に使用されることとなる。
【００３７】
キュー３４Ａには、１０個までのデータしか記録されないが、この式（３）によれば、現状の最適インキキー開度ＳＡi（ｎ）が次回の最適インキキー開度ＳＡi（ｎ＋１）の算出に使用され、この結果、キュー３４Ａから消去された過去のデータについても最適インキキー開度ＳＡiの算出に考慮されることとなる。つまり、効率的に過去のデータを蓄積してキュー３４Ａの記録容量を抑制するようにしているのである。
【００３８】
なお、上式（３）中のＣは、現状の最適インキキー開度ＳＡi（ｎ）に対する重み付け係数であり、経年変化によりインキキー開度の特性が大きく変化することが予想される場合には、Ｃを小さく設定すればよい。
さらに、特性線作成部３５は、これらの最適インキキー開度ＳＡの相互間を直線で結んで補間して図５に示すようにインキキー開度特性線Ｌを設定するようになっている。最適インキキー開度ＳＡの補間には、このような直線補間に限定されず、最小二乗法のような種々の周知の方法を適用できる。このインキキー開度特性線Ｌは、インキキープリセット部２のインキキー開度特性線記憶部２２に出力され、インキキー開度特性線記憶部２２のインキキー開度特性線は、特性線作成部３５により新たに設定されたこのインキキー開度特性線に書き換えられるようになっている。
【００３９】
ところで、工場出荷時、上記インキキー開度記録部３４の全てのボックス３４ａには予め標準的なデータが記録されている。これらのデータにより、正規化インキキー開度特性線Ｌが標準的なものに設定されるようになっており、同じ列の（同じ絵柄面積率に対する）ボックス３４ａには互いに同じ値が記録されている。ここでいう標準的な正規化インキキー開度特性線Ｌとは、例えば同機種の印刷機であれば何れの印刷機においても比較的精度良くインキ開度をプリセットできると予測されるものであり、予めシミュレーションや試験などを行なうことによって得られものである。
【００４０】
本発明の一実施形態としてのインキキーのプリセット装置１は、上述したように構成されているので、インキキーのプリセットは、図６のフローチャートに示すように行なわれる。すなわち、まず、絵柄面積率計測装置４ａにより刷版６の絵柄面積率Ｒａを刷版領域６１ａ〜６１ｅ毎に計測する（ステップＳ１０）。そして、今回刷版６の絵柄面積率Ｒａの計測に使用した絵柄面積率計測装置４ａに対応するインキキー開度特性線Ｌを設定し（ステップＳ２０）、この設定したインキキー開度特性線Ｌに基づいてインキキー開度を上記の複数のインキキー５２ａ〜５２ｅ毎にプリセットする（インキキー開度ｓをプリセット値ｓpに制御する）。
【００４１】
その後、試印刷が行なわれ、プリセット開度のままではＯＫシートが得られないようであれば、ＯＫシートが得られるまでオペレータの手動によるインキキー開度の調整が行なわれる。
そして、このようにオペレータの手動によるインキキー開度ｓの調整が行なわれた場合には、ＯＫシートが得られた後、オペレータが押しボタン３１Ａを押すことにより、この時の各インキキー５２の開度ｓやインキ元ローラ５１の回転量が、情報取得部３１を介してプリセット装置１に取得され、これらの取得されたデータに応じてインキキー開度特性線Ｌが更新される。
【００４２】
また、インキキー開度特性線の更新は、図７のフローチャートに示すように行なわれる。つまり、先ず、ステップＡ１０で、オペレータが押しボタン３１Ａを押すことによりプリセット装置１に取得された各インキキー５２の開度ｓは、対応するインキ元ローラ５１の回転量を使用して正規化される。次に、ステップＡ２０で、正規化された各インキキー５２の開度Ｓが、所定の絵柄面積率から外れた絵柄面積率に関連するものである場合には、所定の絵柄面積率に対応する開度へと変換される。そして、ステップＡ３０で、これらの正規化インキキー開度Ｓは、インキ種や紙種に応じて選択されたキュー３４Ａに絵柄面積率毎に書き込まれ、この際、最も古いデータがキュー３４Ａから消去される。
【００４３】
そして、ステップＡ４０で、キュー３４Ａに記録された正規化インキキー開度Ｓ及び現状の最適インキキー開度ＳＡ（ｎ）から最新の最適インキキー開度ＳＡ（ｎ＋１）が絵柄面積率毎に設定されるとともに、これらの最適インキキー開度ＳＡ（ｎ＋１）から最新のインキキー開度特性線Ｌが設定される。
上述したように、本インキキーのプリセット装置１及び本インキキーのプリセット方法によれば、複数の絵柄面積率計測装置４ａ，４ｂ，４ｃのうち絵柄面積率計測装置４ａを使用して刷版６の絵柄面積率を計測した場合には、絵柄面積率計測装置４ａに対応するインキキー開度特性線Ｌを設定し、このインキキー開度特性線Ｌに基づいてインキキー５２の開度ｓをプリセットするので、複数の絵柄面積率計測装置４ａ，４ｂ，４ｃを混在させて使用しても、各絵柄面積率計測装置４ａ，４ｂ，４ｃの計測特性に応じた精度の高いプリセットが可能になる。
【００４４】
本実施形態では絵柄面積率計測装置４ａを使用して刷版６の絵柄面積率Ｒａを計測したが、絵柄面積率計測装置４ｂを使用して刷版６の絵柄面積率Ｒｂを計測した場合は、絵柄面積率計測装置４ｂに対応するインキキー開度特性線Ｌが設定され、また、絵柄面積率計測装置４ｃを使用して刷版６の絵柄面積率Ｒｃを計測した場合は、絵柄面積率計測装置４ｃに対応するインキキー開度特性線Ｌが設定される。これにより、各絵柄面積率計測装置４ａ，４ｂ，４ｃが持つ固有の計測特性がそれぞれ異なっていても、各絵柄面積率計測装置４ａ，４ｂ，４ｃの計測特性に応じたインキキー開度特性線Ｌに基づいてインキキー開度をプリセットすることができる。これにより、ＯＫシートが得られるまでに要する時間を短縮することができ、損紙の発生を低減することが可能になる。
【００４５】
また、プリセット後、オペレータの手動操作によりインキキー開度を調整した場合にも、今回刷版６の絵柄面積率の計測で使用した絵柄面積率計測装置４ａの計測特性に対応するインキキー開度特性線Ｌを更新（学習）するので、次回同じ絵柄面積率計測装置４ａを用いたときにインキキー開度をさらに精度良くプリセットすることが可能になる。
また、インキキー開度記録部３４に記録されているインキキー開度Ｓi,jと前回のプリセット時における最適インキキー開度ＳＡi（ｎ）との平均値を次回のプリセット時における最適インキキー開度ＳＡi（ｎ＋１）として設定するので、前回のプリセット時における最適インキキー開度ＳＡi（ｎ）を考慮して次回のプリセット時における最適インキキー開度ＳＡi（ｎ＋１）を設定することができる。また、記録から消去されたインキキー開度であっても実質的に最適インキキー開度ひいてはインキキー開度特性線の設定に使用することができるようになり、過去に取得されたインキキー開度を効率的に記録できるようになる。
【００４６】
さらに、絵柄面積率毎にインキキー開度の実運転データが更新されるので、ジョブ毎にインキキー開度の実運転データを更新するのに較べ、実運転データの得にくい低画線率や高画線率についても実運転データを安定して比較的多数確保できるようになる。したがって、これらの実運転データに基づいて低画線率や高画線率についても精度良くインキキー開度特性線を設定でき、このインキキー開度特性線から得られたインキキー開度のプリセット値により早期にＯＫシートが得られるようになる利点がある。
【００４７】
また、上述したように、工場出荷時、キュー３４Ａには予め標準的な正規化インキキー開度が記録されているので、出荷されてから間もないために取得した実運転データの少ない初期運転時においても、上記の標準的な正規化インキキー開度に基づき精度良くインキキー開度をプリセットできる利点がある。また、絵柄面積率が低いと同じ絵柄面積率に対してもＯＫシートが得られるインキキー開度に大きなばらつきが生じるが、低画線率においてもキュー３４Ａには予め標準的なインキキー開度が所定数（ここでは１０個）記録されているので、たとえ信頼性の低いデータが取得された場合でもこのデータによる影響を抑制でき低画線率におけるインキキー開度特性線Ｌの信頼性を保持できる利点がある。
【００４８】
なお、本発明のインキキー開度のプリセット装置及びインキキー開度のプリセット方法は上述した実施形態に限定されず、本発明の趣旨を逸脱しない範囲で種々変形できる。
例えば、上記実施形態では、絵柄面積率計測装置の例として３つのタイプの装置を挙げたが、これらに限定されるものではなく、刷版６の絵柄面積率を計測できる装置であればよい。
【００４９】
また、上記実施形態では、全てのインキキー５２ａ〜５２ｅに対し１つのキュー３４Ａを共用しているが、インキキー５２ａ〜５２ｅ毎に個別にキュー３４Ａを設定しても良い。或いは、上記実施形態と同様に全てのインキキー５２ａ〜５２ｅに対しキュー３４Ａひいてはインキキー開度特性線Ｌを共用し、このインキキー開度特性線Ｌから得られたインキキー開度のプリセット値ｓpに、インキキー５２ａ〜５２ｅ毎に個別に設定される補正係数を乗じるようにしても良い。幅方向両端に配置されたインキキー５２は、他のインキキー５２に較べてそのインキキー開度特性線Ｌが特異なものになることが多いため、特に両端に配置されたインキキー５２については、上述したようにインキキー開度特性線Ｌから得られたインキキー開度のプリセット値ｓpに補正係数を乗じたり、他のインキキー５２とは別にキュー３４Ａを設定したりするのが好ましい。
【００５０】
また、比較的幅の狭い絵柄を印刷する場合には幅方向片側（或いは両側）のインキキー５２を使用しないこともあるので、このような場合には使用しないインキキー５２の開度については、インキキー開度の実運転データｓを取得しないよう予め設定するようにしても良い。
また、インキキー開度記録部３４を、取得した正規化インキキー開度Ｓの正規化インキキー開度特性線Ｌに対する偏差が所定値よりも小さいときに、この正規化インキキー開度Ｓを記録するように構成しても良い。上記偏差が大きいとき（取得した正規化インキキー開度Ｓが正規化インキキー開度特性線Ｌから大きく外れるとき）には、取得したデータ（正規化インキキー開度）が種々の原因により特異的なものである可能性が高いため、これにより、このようなデータを使用してインキキー開度特性線Ｌを更新してその信頼性を低下させてしまうことを防止できるようになる。
【図面の簡単な説明】
【００５１】
【図１】本発明の一実施形態にかかるインキキーのプリセット装置の構成を示す模式的な機能ブロック図である。
【図２】本発明の一実施形態にかかるインキキー開度特性線設定部の構成を示す模式的な機能ブロック図である。
【図３】本発明の一実施形態にかかる刷版に対し設定される領域を説明するための模式図である。
【図４】本発明の一実施形態にかかる取得したデータ（インキキー開度）の変換について説明するための模式図である。
【図５】本発明の一実施形態にかかるインキキーのプリセット方法を概念的に説明するため模式図である。
【図６】本発明の一実施形態にかかるインキキー開度のプリセットを説明するための模式的なフローチャートである。
【図７】本発明の一実施形態にかかるインキキー開度特性線の更新を説明するための模式的なフローチャートである。
【図８】従来の一般的なオフセット印刷機のインキキー装置の構成を示す模式的な斜視図である。
【符号の説明】
【００５２】
１  インキキーのプリセット装置
２  インキキープリセット部（インキキープリセット手段）
３  インキキー開度特性線設定部（インキキー開度特性線設定手段）
４，４ａ，４ｂ，４ｂ  絵柄面積率装置（絵柄面積率計測手段）
５  インキキー装置
６  刷版
２１  プリセット開度設定部（プリセット開度設定手段）
２２  インキキー開度特性線記憶部（インキキー開度特性線記憶手段）
３１  情報取得部（情報取得手段）
３１Ａ  押しボタン
３２  インキキー開度正規化部（インキキー開度正規化手段）
３３  インキキー開度変換部（インキキー開度変換手段）
３４  インキキー開度記録手段
３４Ａ  キュー
３４Ａａ  取得インキキー開度記録部（取得インキキー開度記録手段）
３４Ａｂ  最適インキキー開度記録部（最適インキキー開度記録手段）
３４ａ  ボックス
３５  特性線作成部（特性線作成手段）
５１  インキ元ローラ
５２，５２ａ〜５２ｊ  インキキー
５３  インキキーアクチュエータ
５４  インキ壷
５５  インキ
６１，６１ａ〜６１ｅ  刷版に対し設定された幅方向に並ぶ領域
ｓ  インキキー開度
ｓp  インキキー開度プリセット値
Ｋ（θ）  インキキー開度ｓを正規化するための補正係数
Ｌ  正規化インキキー開度特性線
Ｓ，Ｓi,j  正規化インキキー開度
Ｓp  正規化インキキー開度の設定値
ＳＡ，ＳＡi,j 最適正規化インキキー開度
θ  インキ元ローラ回転量
【図１】
2006056076.tif 000004
【図２】
2006056076.tif 000005
【図３】
2006056076.tif 000006
【図４】
2006056076.tif 000007
【図５】
2006056076.tif 000008
【図６】
2006056076.tif 000009
【図７】
2006056076.tif 000010
【図８】
2006056076.tif 000011